(57)【特許請求の範囲】
【請求項１】
顎の骨側に螺合される雄ねじ部と人工歯が取り付けられる支持台部を備えた人工歯根本体と、
上記人工歯根本体に設けられたセルフタップ部と、を具備し、
上記セルフタップ部は少なくとも上記雄ねじ部のねじ山部に鋸歯状に設けられた第２セルフタップ部から構成されていることを特徴とする人工歯根。
【請求項２】
請求項１記載の人工歯根において、
上記セルフタップ部は上記人工歯根本体の先端部に設けられた第１セルフタップ部と、上記雄ねじ部のねじ山部に鋸歯状に設けられた第２セルフタップ部とから構成されていることを特徴とする人工歯根。
【請求項３】
請求項２記載の人工歯根において、
上記第１セルフタップ部は三枚刃から構成されていることを特徴とする人工歯根。
【請求項４】
請求項１又は請求項２記載の人工歯根において、
上記雄ねじ部のねじ山部の内の上記支持台部側のねじ山部には鋸歯状の第２セルフタップ部を設けない構成になっていることを特徴とする人工歯根。
【請求項５】
請求項４記載の人工歯根において、
上記雄ねじ部のねじ山部の内の上記支持台部側の一山又は一山から二山にかけて鋸歯状の第２セルフタップ部を設けない構成になっていることを特徴とする人工歯根。
【発明の詳細な説明】
【技術分野】
【０００１】
本発明は、歯科の分野において行われているいわゆる「インプラント治療」に使用される人工歯根（インプラント）に係り、特に、治療後に安定した固定状態を長期にわたって提供できるように工夫したものに関する。
【背景技術】
【０００２】
歯科におけるインプラント治療を図６を参照して説明する。図６はインプラント治療を施された歯の状態を示す断面図であり、まず、顎の骨１０１がある。この顎の骨１０１には所定の径の孔１０３が穿孔されていると共に該孔１０３には雌ねじ部が形成されている。そこに人工歯根１０５が螺合・接合されることになる。この人工歯根は上記孔１０３側の雌ねじ部に螺合される雄ねじ部１０７を備えていると共に、上端には支持台部１０９が形成されている。この支持台部１０９には孔が穿孔されていて、該孔には雌ねじ部が形成されている。
【０００３】
一方、人工歯１１１があり、この人工歯１１１の下部には固定金具１１３が取り付けられている。この固定金具１１３には雄ねじ部が形成されている。そして、予め顎の骨１０１に螺合・接合されている人工歯根１０５の支持台部１０９の雌ねじ部に上記人工歯１１１側の固定金具１１３の雄ねじ部を螺合させることにより、人工歯１１１を人工歯根１０５に固定するものである。
尚、この種の人工歯根を開示するものとして、例えば、特許文献１がある。
【０００４】
【特許文献１】特開２００３−３８５２３号公報
【発明の開示】
【発明が解決しようとする課題】
【０００５】
上記従来の構成によると次のような問題があった。
まず、顎の骨１０１に一旦螺合・固定された人工歯根１０５が経年変化によって緩んでしまい、その結果、そこに固定されている人工歯１１１が不安定な状態になってしまうという問題があった。
又、人工歯根１０５を顎の骨１０１側の孔１０３に螺合させるために、孔１０３に雌ねじ部を形成する加工を行う必要があり、その結果、治療に手間が掛かってしまうという問題があった。
【０００６】
本発明はこのような点に基づいてなされたものでその目的とするところは、経年変化による緩みを防止して長期にわたって安定した固定状態を得ることができ、又、治療に要する手間を軽減させて治療に要する時間を短縮させることが可能な人工歯根を提供することにある。
【課題を解決するための手段】
【０００７】
上記目的を達成するべく本願発明の請求項１による人工歯根は、顎の骨側に螺合される雄ねじ部と人工歯が取り付けられる支持台部を備えた人工歯根本体と、上記人工歯根本体に設けられたセルフタップ部と、を具備し、上記セルフタップ部は少なくとも上記雄ねじ部のねじ山部に鋸歯状に設けられた第２セルフタップ部から構成されていることを特徴とするものである。
又、請求項２による人工歯根は、請求項１記載の人工歯根において、上記セルフタップ部は上記人工歯根本体の先端部に設けられた第１セルフタップ部と、上記雄ねじ部のねじ山部に鋸歯状に設けられた第２セルフタップ部とから構成されていることを特徴とするものである。
又、請求項３による人工歯根は、請求項２記載の人工歯根において、上記第１セルフタップ部は三枚刃から構成されていることを特徴とするものである。
又、請求項４による人工歯根は、請求項１又は請求項２記載の人工歯根において、上記雄ねじ部のねじ山部の内の上記支持台部側のねじ山部には鋸歯状の第２セルフタップ部を設けない構成になっていることを特徴とするものである。
又、請求項５による人工歯根は、請求項４記載の人工歯根において、上記雄ねじ部のねじ山部の内の上記支持台部側の一山又は一山から二山にかけて鋸歯状の第２セルフタップ部を設けない構成になっていることを特徴とするものである。
【発明の効果】
【０００８】
以上詳述したように、本願発明の請求項１による人工歯根によると、顎の骨側に螺合される雄ねじ部と人工歯が取り付けられる支持台部を備えた人工歯根本体と、上記人工歯根本体に設けられたセルフタップ部と、から構成しているので、セルフタップ部を構成する凹部内に骨粉が入り込み、そこに新たに顎の骨が成長して入り込むことになるので、強固な固定状態を得ることが可能になる。それによって、人工歯根はもとよりそこに固定される人工歯の安定した固定状態を長期にわたって提供することができるものである。又、セルフタップ部によって顎骨に自ら雌ねじ部を形成することができるので、予め雌ねじ部を形成しておく工程が省略されることになる。それによって、治療に要する手間を軽減できると共に時間が短縮されることになる。
又、予め形成されている雌ねじ部に螺合される場合よりも自ら雌ねじ部を形成しながら螺合する場合の方がより強固な固定状態を得ることが可能になるものである。
尚、セルフタップ部を上記人工歯根本体の先端部に設けられた第１セルフタップ部によって構成する場合、上記雄ねじ部のねじ山部に鋸歯状に設けられた第２セルフタップ部によって構成する場合、上記人工歯根本体の先端部に設けられた第１セルフタップ部と上記雄ねじ部のねじ山部に鋸歯状に設けられた第２セルフタップ部とから構成する場合、が想定されるが、何れの場合も上記のような効果を奏することができ、特に、第１セルフタップ部と第２セルフタップ部の両方から構成した場合にはより高い効果を期待できる。
又、上記第１セルフタップ部を、例えば、三枚刃から構成することが考えられ、この場合には、第１セルフタップ部の機械的強度を維持しつつ、所望のタップ機能を期待でき、且つ、骨粉が入り込む適度な凹部を確保でき、より高い効果を期待できる。
又、上記雄ねじ部のねじ山部の内基端側のねじ山部に鋸歯状の第２セルフタップ部を設けない構成にした場合には、口腔内に近接した位置において雑菌や微粒な食べ残しが堆積し易いような凹凸部をなくすことになるので、それらの堆積や繁殖を防止することがてきる。
【発明を実施するための最良の形態】
【０００９】
以下、図１乃至図３を参照して本発明の第１の実施の形態を説明する。図１は本実施の形態による人工歯根の斜視図であり、図２は同上の正面図である。まず、人工歯根本体１があり、この人工歯根本体１は軸状をなしていて、図示しない顎の骨側に形成された孔に螺合するための雄ねじ部３を備えていると共に、基部には図示しない人工歯を取り付けるための支持台部５を備えている。上記支持台部５には孔７が穿孔されていて、該孔７には雌ねじ部９が形成されている。この孔７内に図示しない人工歯側の固定金具が差し込まれてその雄ねじ部を介して上記雌ねじ部９に螺合・固定されるものである。
【００１０】
上記雄ねじ部３の頂部は、図３（ｂ）にも示すように、鋸歯状に形成されていて、第２セルフタップ部１１を構成している。又、人工歯根本体１の先端部には第１セルフタップ部１５が設けられている。この第１セルフタップ部１５は三枚刃構成になっていて、図３（ｂ）にも示すように、３枚の刃１７が等間隔で設けられている。そして、これら第１セルフタップ部１５と第２セルフタップ部１１とによって、図示しない顎の骨側に形成された孔に自ら雌ねじ部を形成しながら螺合していくことになる。
【００１１】
以上の構成を基にその作用を説明する。
まず、インプラント治療の手順であるが、図示しない顎の骨の所定個所に所定の径の孔を穿孔する。次に、その孔に本実施の形態による人工歯根を挿入していく。その際、第１セルフタップ部１５と第２セルフタップ部１１とによって自ら雌ねじ部を形成していきながらそこに螺合していく。人工歯根の螺合・接合が完了したら、その支持台部５に図示しない人工歯を取り付けることになり、後は必要な処置を施すことによりインプラント治療が終了する。
【００１２】
又、上記のような手順で取り付けられた人工歯根の場合には、第１セルフタップ部１５と第２セルフタップ１１において、雌ねじ部の形成時に発生した骨粉が凹部内に入り込み、且つ、そこに新たに成長した顎の骨が入り込むことになる。その結果、強固な固定状態を得ることができるようになる。
具体的には、第１セルフタップ部１５の３枚の刃１７相互間に骨粉が入り込み、且つ、そこに新たに成長した顎の骨が入り込んでいく。同様に、第２セルフタップ部１１の鋸歯の凹部内に骨粉が入り込み、且つ、そこに新たに成長した顎の骨が入り込んでいく。
【００１３】
以上本実施の形態によると次のような効果を奏することができる。
まず、第２セルフタップ部の３枚の刃１７相互間に骨粉が入り込むと共に、第２セルフタップ部１１の鋸歯状部にも骨粉が入り込む。そして、そこに新たに顎の骨が成長して入り込むことになるので、強固な固定状態を得ることが可能になる。それによって、人工歯根はもとより人工歯の安定した固定状態を長期にわたって提供することができるものである。
又、第１セルフタップ部１５と第２セルフタップ部１１とによって顎の骨に自ら雌ねじ部を形成することができるので、予め雌ねじ部を形成しておく工程が省略されることになる。それによって、治療に要する手間を軽減できると共に時間が短縮されることになる。
又、予め形成されている雌ねじ部に螺合される場合よりも自ら雌ねじ部を形成しながら螺合する場合の方がより強固な固定状態を得ることが可能になるものである。つまり、形成される雌ねじ部に対して人工歯根側の雄ねじ部３がより強固に密着した状態になるものである。
又、上記第１セルフタップ部１５は三枚の刃１７から構成されていて、第１セルフタップ部１５の機械的強度を維持しつつ、所望のタップ機能を期待でき、且つ、骨粉が入り込む適度な凹部を確保できるようになっているので、より高い効果を期待できる。  
【００１４】
次に、図４及び図５を参照して本発明の第２の実施の形態を説明する。前記第１の実施の形態の場合には、雄ねじ部３の全てのねじ山部に鋸歯状の第２セルフタップ部１１を設けたが、この第２の実施の形態の場合には、支持台部５側の一山から二山目に掛けて、上記鋸歯状の第２セルフタップ部１１を設けないようにしたものである。つまり、鋸歯状ではなく普通のねじ山部となっている。これは次のような理由による。
【００１５】
人工歯根の上端部、すなわち、支持台部５側は比較的口腔内に近い場所に位置することになる。口腔内には様々な雑菌や微粒の食べ残し等があり、それらが、人工歯と歯茎の間を通って人工歯根の上端部付近に侵入することが予想される。その際、ねじ山部に鋸歯状の凹凸が存在すると、そこにそれら雑菌や微粒な食べ残しが堆積して繁殖することが懸念される。そこで、支持台部５側の一山から二山目に掛けて、上記鋸歯状の第２セルフタップ部１１を設けない普通のねじ山部として、雑菌や微粒な食べ残しが堆積し易いような凹凸部をなくしたものである。
【００１６】
したがって、前記第１の実施の形態と同様の効果を奏することができると共に、人工歯根の雄ねじ部３の上端部における雑菌や微粒な食べ残しの堆積・繁殖を防止することができ、それらに起因した各種疾病の発生を未然に防止することができる。
【００１７】
尚、本発明は前記第１及び第２の実施の形態に限定されるものではない。
例えば、第１セルフタップ部１５を３枚刃とする以外にも、例えば、２枚、４枚以上の刃によって構成することも考えられる。
又、前記第１の実施の形態、第２の実施の形態では、第１セルフタップ部と第２セルフタップの両方を設けるようにしたが、何れか一方のみを設けることも考えられる。
その他図示した構成はあくまで一例である。
【産業上の利用可能性】
【００１８】
本発明は、歯科の分野において行われているいわゆる「インプラント治療」に使用される人工歯根（インプラント）に係り、特に、治療後に安定した固定状態を長期にわたって提供できるように工夫したものに関するものであり、インプラント治療において好適なものである。
【図面の簡単な説明】
【００１９】
【図１】本発明の第１の実施の形態を示す図で、人工歯根の全体構成を示す斜視図である。
【図２】本発明の第２の実施の形態を示す図で、人工歯根の全体構成を示す正面図である。
【図３】本発明の第１の実施の形態を示す図で、図３（ａ）は図２のａ−ａ矢視図、図３（ｂ）は図２のｂ−ｂ矢視図である。
【図４】本発明の第２の実施の形態を示す図で、人工歯根の全体構成を示す斜視図である。
【図５】本発明の第２の実施の形態を示す図で、人工歯根の全体構成を示す正面図である。
【図６】従来例を示す図で、インプラント治療を施された歯の様子を示す断面図である。
【符号の説明】
【００２０】
１  人工歯根本体
３  雄ねじ部
５  支持台部
１１  第２セルフタップ部
１５  第１セルフタップ部
１７  刃
【図１】
0003727058.tif 000002
【図２】
0003727058.tif 000003
【図３】
0003727058.tif 000004
【図４】
0003727058.tif 000005
【図５】
0003727058.tif 000006
【図６】
0003727058.tif 000007